(57)【特許請求の範囲】
【請求項１】
大入賞口の下縁に第１の電動アクチュエータを作動させることにより開閉動する開閉扉を軸支し、該開閉扉が開状態にあるとき該開閉扉上に乗った遊技球が該大入賞口内に誘導されるようにし、該大入賞口の内側に球入口に向けて下傾する傾斜底面を形成し、該傾斜底面上に流入した遊技球が自重で該球入口に流れるようにすると共に、該傾斜底面における球入口の直前個所に落下口を開設し、シャッタ部材を第２の電動アクチュエータを作動させることによって昇降動するように前記落下口内に設け、該シャッタ部材を下降させ前記落下口が塞がれることで該傾斜底面上に流入した遊技球が前記球入口に流れ込むのを妨げないようにし、該シャッタ部材を上昇させることによっては落下口が開口するようにしたことを特徴とするパチンコ遊技機の大入賞口装置。
【請求項２】
大入賞口の下縁に第１の電動アクチュエータを作動させることにより開閉動する開閉扉を軸支し、該開閉扉が開状態にあるとき該開閉扉上に乗った遊技球が該大入賞口内に誘導されるようにし、該大入賞口の内側に中央の球入口に向けて下傾する傾斜底面を形成し、該傾斜底面上に流入した遊技球が自重で該球入口に流れるようにすると共に、該傾斜底面における球入口の直前個所に落下口を開設し、起立面部の上端縁に前方に向けて鉤状に折れ曲がることによりデッキ面部が形成されたシャッタ部材を第２の電動アクチュエータを作動させることによって昇降動するように前記落下口内に設け、該シャッタ部材を下降させた状態で該デッキ面部が前記落下口を塞ぐことで該傾斜底面上に流入した遊技球が前記球入口に流れ込むのを妨げないようにし、該シャッタ部材を上昇させることによっては落下口が開口し、前記球入口が前記起立面部により閉じられるようにしたことを特徴とするパチンコ遊技機の大入賞口装置。
【請求項３】
第１の電動アクチュエータを作動させることにより開閉扉を開状態にしたときは第２の電動アクチュエータを作動させることによってシャッタ部材を下降させ落下口が塞がれるようにすると共に、第１の電動アクチュエータを作動させることにより開閉扉を閉状態にしたときは第２の電動アクチュエータを作動させることによりシャッタ部材を上昇させ落下口が開口し球入口が閉じられるようにしたことを特徴とする請求項１または２に記載のパチンコ遊技機の大入賞口装置。
【請求項４】
第１の電動アクチュエータを作動させることにより開閉扉を閉状態にした後に間もなく第２の電動アクチュエータを作動させることによりシャッタ部材を上昇させ落下口が開口し球入口が閉じられるようにしたことを特徴とする請求項３に記載のパチンコ遊技機の大入賞口装置。
【発明の詳細な説明】
【技術分野】
【０００１】
本発明は、パチンコ遊技機において大当たりになった際に開閉扉が開かれ遊技球が入賞し易くなる大入賞口装置に関し、さらに詳しくは、不正手段を用いて開閉扉が開けられ遊技球を不正に入賞させる行為を未然に防止するための不正防止機能を備えた大入賞口装置に関するものである。
【背景技術】
【０００２】
パチンコ遊技機の遊技盤に設けられる大入賞口装置には、ソレノイド或いはモータ等の電動アクチュエータを作動させることによって開閉させる開閉扉が設けられ、大当たりが発生すると、該電動アクチュエータが作動し、開閉扉が開かれ大入賞口に遊技球が非常に入賞し易い状況となり、一定数の遊技球が入賞したところで該開閉扉が閉じるように構成されたものである。
ところで、上記大入賞口装置では、不正な遊技者が例えば針金等の不正手段を遊技機内に侵入させ、その先端を上記開閉扉に引っ掛けて該開閉扉を無理に開き遊技球を大入賞口内に入賞させることにより賞球を奪う不正行為を防ぐために従来から種々の防止対策がなされてきた。例えば下記特許文献１に示された遊技機では、ソレノイドによって左右に傾動する誘導部材を開閉扉の内側に設け、開閉扉が閉じられた状態のときは該開閉扉を無理に開いて遊技球を入賞いさせたとしても、該遊技球が該誘導部材の傾斜方向に誘導されて、賞球が払い出されることなく不正を検知するセンサを作動させることで不正を防止しようとするものであった。
また、特許文献２に示された遊技機では、開閉扉を外扉と内扉との二重構造にすることにより、針金等によっては同時に容易に開けることができないようにしたものであった。
【特許文献１】特開２００４−１４１２６５号公報
【特許文献２】特開２００６−１３６５０７号公報
【発明の開示】
【発明が解決しようとする課題】
【０００３】
しかしながら、特許文献１に示されたように誘導部材の傾斜方向によって遊技球を左右いずれかに誘導する構造では、複数の遊技球が同時に入賞したりすると正規に入賞した遊技球まで反対側に導かれ不正検知センサを作動させる、即ち、誤検知をするおそれがあった。
また、特許文献１に示されたように開閉扉を二重構造にすると球咬みを起こし易いなど作動不良の原因となるおそれがあった。
本発明はこのような課題を解決し得るパチンコ遊技機の大入賞口装置を提供しようとするものである。
【課題を解決するための手段】
【０００４】
そのために請求項１に記載したパチンコ遊技機の大入賞口装置の発明は、大入賞口の下縁に第１の電動アクチュエータを作動させることにより開閉動する開閉扉を軸支し、該開閉扉が開状態にあるとき該開閉扉上に乗った遊技球が該大入賞口内に誘導されるようにし、該大入賞口の内側に球入口に向けて下傾する傾斜底面を形成し、該傾斜底面上に流入した遊技球が自重で該球入口に流れるようにすると共に、該傾斜底面における球入口の直前個所に落下口を開設し、シャッタ部材を第２の電動アクチュエータを作動させることによって昇降動するように前記落下口内に設け、該シャッタ部材を下降させ前記落下口が塞がれることで該傾斜底面上に流入した遊技球が前記球入口に流れ込むのを妨げないようにし、該シャッタ部材を上昇させることによっては落下口が開口するようにしたことを特徴とする。
また、請求項２に記載したパチンコ遊技機の大入賞口装置の発明は、大入賞口の下縁に第１の電動アクチュエータを作動させることにより開閉動する開閉扉を軸支し、該開閉扉が開状態にあるとき該開閉扉上に乗った遊技球が該大入賞口内に誘導されるようにし、該大入賞口の内側に中央の球入口に向けて下傾する傾斜底面を形成し、該傾斜底面上に流入した遊技球が自重で該球入口に流れるようにすると共に、該傾斜底面における球入口の直前個所に落下口を開設し、起立面部の上端縁に前方に向けて鉤状に折れ曲がることによりデッキ面部が形成されたシャッタ部材を第２の電動アクチュエータを作動させることによって昇降動するように前記落下口内に設け、該シャッタ部材を下降させた状態で該デッキ面部が前記落下口を塞ぐことで該傾斜底面上に流入した遊技球が前記球入口に流れ込むのを妨げないようにし、該シャッタ部材を上昇させることによっては落下口が開口し、前記球入口が前記起立面部により閉じられるようにしたことを特徴とする。
また、請求項３に記載した発明は上記大入賞口装置において、第１の電動アクチュエータを作動させることにより開閉扉を開状態にしたときは第２の電動アクチュエータを作動させることによってシャッタ部材を下降させ落下口が塞がれるようにすると共に、第１の電動アクチュエータを作動させることにより開閉扉を閉状態にしたときは第２の電動アクチュエータを作動させることによりシャッタ部材を上昇させ落下口が開口し球入口が閉じられるようにしたことを特徴とする。
また、請求項４に記載した発明は上記大入賞口装置において、第１の電動アクチュエータを作動させることにより開閉扉を閉状態にした後に間もなく第２の電動アクチュエータを作動させることによりシャッタ部材を上昇させ落下口が開口し球入口が閉じられるようにしたことを特徴とする。
【発明の効果】
【０００５】
本発明に係る大入賞口装置によれば、不正行為を適確に検出できると共に一時に複数の遊技球が流入しても誤検知が起きることがない。また、開閉扉が閉じる間際に遊技球が流入しても、正規の遊技球が不正な遊技球として誤検知されるようなおそれがない。
【発明を実施するための最良の形態】
【０００６】
次に本発明に係る大入賞口装置の実施形態を図面に従い説明する。図１はこの大入賞口装置の分解斜視図であり、１はパチンコ遊技機の遊技盤（釘板）の前面に止着される取付板、２は該取付板の裏面に一体に形成された箱状部、３は該取付板に開設された横長の長方形状の大入賞口、４は該大入賞口の下方で該取付板の前面に突設された装飾体である。該大入賞口３の下縁には略同形の開閉扉５が軸支され、該開閉扉５は第１の電動アクチュエータ６（この場合、ソレノイド）を作動させることにより開閉動し、遊技盤の前面を流下する遊技球７が開状態となった該開閉扉５上に乗ることで該遊技球７は該大入賞口内に誘導される。
【０００７】
８は前記箱状部２中に装着される裏機構で、大入賞口３の内側に位置するように傾斜底面９が形成され、該傾斜底面９の背壁面中央には球入口１０が形成されている。該傾斜底面９は全体が該球入口に向けて下傾するように形成され、該傾斜底面上に流入した遊技球７は自重で該球入口１０に転がり込むようにしている。１１は該球入口１０に設けられた球検出センサである。
【０００８】
また、図２にも示したように、該傾斜底面９における球入口１０の直前個所を方形状に切り取って落下口１２を開設し、該落下口内に起立面部１３ａの上端縁に前方に向けて鉤状に折れ曲がることによりデッキ面部１３ｂが形成されたシャッタ部材１３を昇降可能に配置し、該シャッタ部材には図３に示したようにラック１３ｃを延設し、該ラックに第２の電動アクチュエータ１４（この場合、モータ）の回転軸ピニオン歯車１５を噛合させ、該電動アクチュエータ１４を作動させることにより該シャッタ部材１３が昇降動し、該シャッタ部材１３を下降させた状態では、図１および図４の縦断面図に示したように、該シャッタ部材のデッキ面部１３ｂが落下口１２を塞ぎ傾斜底面９と面一となることで該傾斜底面９上に流入した遊技球が球入口１０に流れ込むのを妨げないようにする一方、シャッタ部材１３を上昇させることによっては図２および図５の縦断面図に示すように、落下口１２が開口し、球入口１０は該シャッタ部材１３の起立面部１３ａにより閉じられるようにすることで、傾斜底面９上に流入した遊技球７が全て落下口１２に落下するようにしている。そして落下口１２から落下した遊技球は該傾斜底面９の下段に形成された通路１７を通り、該通路１７の下流に設けられた球検出センサ１６によって検知される。
【０００９】
この大入賞口装置では、大当たりが発生し、第１の電動アクチュエータ６を作動させて開閉扉５を開状態にすると同時に第２の電動アクチュエータ１４を作動させることによりシャッタ部材１３を下降させ落下口１２が塞がれるようにする。このため、図４に示したように、傾斜底面上に流入した遊技球は球入口１０に支障なく流れ込み、球検出センサ１１によって正規の入賞球としてカウントされることにより所定数の賞球が払い出される。
また、大当たりが終了し、第１の電動アクチュエータ６を作動させることにより開閉扉５を閉状態にした概略２秒程度（所定時間）後に、第２の電動アクチュエータ１４を作動させることにより図５に示したようにシャッタ部材１３を上昇させ落下口１２を開口させると共に球入口１０が該シャッタ部材１３の起立面部１３ａにより閉じられるようにする。このため、開閉扉５が閉じる間際に該大入賞口３内に遊技球が流入した場合にも該遊技球が落下口１２に落ちることなく球入口１０に入り正規の入賞球となり、正規の遊技球が誤検知されるおそれがない。
【００１０】
一方、不正行為により開閉扉５が開けられた場合は、シャッタ部材１３が上昇したままであるので、不正に流入させた遊技球が落下口１２に落下する。このため、不正な遊技球によって賞球が払い出されることはなく、落下口１２に落下した不正な遊技球は球検出センサ１６によって検出されるので、不正行為が行われたことが直ちに検知される。
【００１１】
このように本発明に係る大入賞口装置は、たとえ針金等の不正手段によっては開閉扉５が開けられたとしても落下口１２をも同時に閉塞させることは困難であるので、そのような不正行為を適確に防止することができる。また、開閉扉５が正規に開状態になったときは第２の電動アクチュエータ１４によって昇降動するように設けられたシャッタ部材１３により落下口１２が閉塞されるようにしたので、大入賞口内３に一時に複数の遊技球が流入しても正規に入賞した遊技球が落下口に落ちることはなく誤検知が生じない。さらには、第１の電動アクチュエータを作動させ開閉扉を閉状態にした後にシャッタ部材１３を下降させ落下口を閉塞させるようにすることで、該開閉扉が閉じる間際に遊技球が流入しても、その遊技球が落下口に落ちて不正な遊技球として誤検知されるようなおそれがなく、常に正確に作動し得る。また、第２の電動アクチュエータ１４を作動させシャッタ部材１３を下降させ落下口１２を閉塞させるときは、開閉扉５が開くときであるので、時期的に落下口１２に球咬みが起きるおそれも少ない。
【図面の簡単な説明】
【００１２】
【図１】本発明に係るパチンコ遊技機の大入賞口装置の分解斜視図。
【図２】図１の大入賞口装置の裏機構の作動状態を示した斜視図。
【図３】図２の裏機構のシャッタ部材を昇降動させる電動アクチュエータの斜視図。
【図４】本発明に係るパチンコ遊技機の大入賞口装置の縦断面図。
【図５】図４の作動状態を示した大入賞口装置の縦断面図。
【符号の説明】
【００１３】
１      取付板
３      大入賞口
５      開閉扉
６      第１の電動アクチュエータ
７      遊技球
９      傾斜底面
１０    球入口
１１    球検出センサ
１２    落下口
１３    シャッタ部材
１３ａ  起立面部
１３ｂ  デッキ面部
１４    第２の電動アクチュエータ
１６    球検出センサ
【図１】
0004617361.tif 000002
【図２】
0004617361.tif 000003
【図３】
0004617361.tif 000004
【図４】
0004617361.tif 000005
【図５】
0004617361.tif 000006